(57)【要約】      （修正有）【課題】使用者の手で組立て易く、造形が簡単な、発光体造形の構造を提供する。【解決手段】ベース板１０は、所定のサイズを備えるとともに、上下二側に分かれて第一平面及び第二平面１２が設けられる。更にベース板１０には、第一平面及び第二平面１２と連通した複数の穿孔１３が設けられることにより、発光体が貫設される。また、第二平面１２には、複数の内突縁１４１と、複数の外突縁１４２とが設けられ、内突縁１４１及び外突縁１４２によって複数の位置決め溝１５が形成される。柱体２０は、ベース板１０の第二平面１２に設けられるとともに、発光体を巻付けるための支柱となる。更に柱体２０の上部には、より大きな形状のストッパー部２１が設けられる。【選択図】図２
0003194054.tif 000002
【実用新案登録請求の範囲】
【請求項１】
可撓性を有する紐状の発光体によって所定の各種造形を形成するための補助道具であるとともに、ベース板と、少なくとも一つの柱体とからなる発光体造形の構造であって、
前記ベース板には、第一平面及び第二平面が設けられ、
更に前記ベース板には、前記第一平面及び前記第二平面と連通した複数の穿孔が設けられ、
前記穿孔には、発光体が貫設され、
前記柱体は、前記ベース板の第一平面・第二平面のいずれか一つに設けられるとともに、発光体が巻付けられるための支柱になることを特徴とする、発光体造形の構造。
【請求項２】
前記第二平面には、複数の内突縁及び複数の外突縁が設けられるとともに、前記内突縁と前記外突縁によって複数の位置決め溝が形成されることを特徴とする、請求項１に記載の発光体造形の構造。
【請求項３】
前記柱体上部には、より大きな形状のストッパー部が設けられることを特徴とする、請求項１に記載の発光体造形の構造。
【請求項４】
前記ベース板の穿孔には、少なくとも一つの差込柱が結合され、
前記穿孔周側には、複数の切込溝が設けられ、
前記ベース板における前記穿孔に近接した位置には、複数の突点が設けられ、
前記差込柱周側には、前記切込溝と対応した複数の突部が設けられ、
前記差込柱は、前記突部が前記切込溝に貫設されるとともに、前記差込柱が回転することにより前記突部が前記突点に係止されて固定されることを特徴とする、請求項１に記載の発光体造形の構造。
【請求項５】
前記差込柱上部には、より大きな形状のストッパー部が設けられることを特徴とする、請求項４に記載の発光体造形の構造。
【請求項６】
前記差込柱の間には、連接片が設けられ、
前記差込柱の間を経由する発光体は、前記連接片によって固定されることを特徴とする、請求項４に記載の発光体造形の構造。
【請求項７】
前記ベース板周側には、複数の接続体と、複数の受容体が設けられ、
前記接続体と前記受容体は、互いに対応するとともに、前記接続体はもう一つのベース板における前記受容体と対応して組合されることを特徴とする、請求項１に記載の発光体造形の構造。
【請求項８】
前記接続体は、弾性のフック体であることを特徴とする、請求項７に記載の発光体造形の構造。
【請求項９】
前記柱体の間には、連接片が設けられ、
前記柱体の間を経由する発光体は、前記連接片によって固定されることを特徴とする、請求項１に記載の発光体造形の構造。
【考案の詳細な説明】
【技術分野】
【０００１】
本考案は、発光体造形の構造に関し、特に使用者が可撓性を有する紐状の発光体によって各種の所定の造形を形成するよう補助することができる、発光体造形の構造に関する。
【背景技術】
【０００２】
現在、科学技術の発展に伴い、地球の生態環境やオゾン層が破壊されている。よって、世界各国はこの問題を解決するための対策に既に着手している。特に、人々が毎日照明として使用している照明器具の使用量は驚くべき数であり、更に従来の照明器具は消費電力が多く大量の炭素を産出する。このため、現在各国は省エネ・節電が可能、且つ高効率で耐用年数の長いＬＥＤを従来の照明器具の代わりとして大量に採用している。
【０００３】
例えばＬＥＤテープライト・ファイバー等の発光体は、発光照明としての機能の他に、所定の文字・図形等の各種形状を形成することにより、美観向上のための装飾や広告等に用いられている。
【０００４】
しかし、従来の発光体は、一般的に特定の形状規格に合わせて作られることが多く、使用者が自分の手で所定の文字・図形等の各種形体を形作ることができるようなものは見られない。例えば、ＬＥＤテープライト、ファイバー等といった可撓性を有する紐状の発光体は、所定の文字・図形等の各種形体を形作るため、一般的に発光体を段毎に分けて配列させなければならず、ベース板に一度に連続して通して巻付け、素早く所定の文字・図形等の各種形体を形成することができない。このため、可撓性を有する紐状の発光体によって所定の各種造形を形成するための補助道具を提供することが切に求められている。
【考案の概要】
【考案が解決しようとする課題】
【０００５】
本考案は、可撓性を有する紐状の発光体を穿孔に貫設するとともに柱体に巻付け、穿孔及び柱体によって発光体を固定することにより、ベース板に一度に連続して通して巻付け、素早く所定の各種形体を形成することができる、発光体造形の構造を提供することを目的とする。
【課題を解決するための手段】
【０００６】
上述の目的を達成するため、本考案は、可撓性を有する紐状の発光体によって所定の各種造形を形成するための補助道具であるとともに、ベース板と、複数の柱体とからなる。前記ベース板には、第一平面及び第二平面が設けられる。更に前記ベース板には、前記第一平面及び第二平面と連通した複数の穿孔が設けられることにより、発光体が貫設される。前記柱体は、前記ベース板の第一平面・第二平面のいずれか一つに設けられることにより、発光体が巻付けられるための支柱になる。
【考案の効果】
【０００７】
以上の構造により、本考案は、可撓性を有する紐状の発光体を穿孔に貫設するとともに柱体に巻付け、穿孔及び柱体によって発光体を固定することができる。これにより、発光体を段毎に分けて接続せずとも、ベース板に一度に連続して通して巻付け、素早く所定の文字・図形等の各種形体を形成することが可能なため、使用者自身の手で組立て易く、造形が簡単であるといった長所を備える。
【図面の簡単な説明】
【０００８】
【図１】本考案の上部を示した斜視図である。
【図２】本考案の下部を示した斜視図である。
【図３】本考案の使用実施例（一）を示した概略図である。
【図４】本考案の使用実施例（一）における背面の取付け図である。
【図５】本考案の差込柱の構造及び使用実施例を示した概略図である。
【図６】本考案の差込柱が設けられた使用実施例を示した概略図である。
【図７】本考案のベース板が組合された実施例を示した概略図である。
【図８】本考案のベース板上部に柱体が設けられた様子を示した斜視図である。
【図９】図８の使用実施例を示した概略図である。
【図１０】本考案の差込柱の間に連接片が設けられた様子を示した斜視図である。
【図１１】図１０の使用実施例を示した概略図である。
【図１２】本考案の柱体の間に連接片が設けられた様子を示した斜視図である。
【図１３】図１２の使用実施例を示した概略図である。
【考案を実施するための形態】
【０００９】
（実施例１）
図１、図２、図３を参照する。本考案は、使用者が可撓性を有する紐状の発光体９０（例えばＬＥＤテープライト、ファイバー等）によって所定の造形を形成するよう補助するための構造である。本考案の実施例は、ベース板１０と、複数の柱体２０とからなることが望ましい。以下に詳しく説明する。
【００１０】
ベース板１０は、所定のサイズを備えるとともに、上下二側に分かれて第一平面１１及び第二平面１２が設けられる。更にベース板１０には、第一平面１１及び第二平面１２と連通した複数の穿孔１３が設けられることにより、発光体９０が貫設される。また、第二平面１２には、複数の内突縁１４１と、複数の外突縁１４２とが設けられ、内突縁１４１及び外突縁１４２によって複数の位置決め溝１５が形成される。
【００１１】
柱体２０は、ベース板１０の第二平面１２に設けられるとともに、発光体９０を巻付けるための支柱となる。更に柱体２０の上部には、より大きな形状のストッパー部２１が設けられる。
【００１２】
図３、図４を参照する。本考案を使用する際は、可撓性を有する紐状の発光体９０を所定の穿孔１３に貫設するとともに柱体２０に巻付け、穿孔１３及び柱体２０によって発光体９０を固定する。これにより、発光体９０を段毎に分けて接続せずとも、ベース板１０に一度に連続して通して巻付けることが可能なため、ベース板１０の第一平面１１に素早く所定の文字・図形等の各種形体を形成することができる。以上により本考案は、使用者が自分の手で組立て易い、造形が簡単である等の特長を備える。
【００１３】
発光体９０の両端は、内突縁１４１と外突縁１４２によって形成された位置決め溝１５中に設けられることにより、隠された状態で固定され、端止めの効果が得られる。
【００１４】
更に発光体９０における柱体２０に巻付けられた部分は、柱体２０のストッパー部２１によって止められることにより、滑って抜け落ちることを防止できる。
【００１５】
（実施例２）
図１、図２、図５、図６を参照する。本考案の実施例２において、ベース板１０の穿孔１３には、少なくとも一つの差込柱３０が結合される。穿孔１３周側には複数の切込溝１３１が設けられ、第二平面１２における穿孔１３に近接した位置には複数の突点１３２が設けられる。また、差込柱３０周側には切込溝１３１と対応した複数の突部３１が設けられ、差込柱３０上部にはより大きな形状のストッパー部３２が設けられる。
【００１６】
差込柱３０の突部３１を切込溝１３１に貫設するとともに、差込柱３０を回転させて突部３１が突点１３２に係止されるようにすることにより、差込柱３０はベース板１０第一平面１１の穿孔１３に固定される。更に差込柱３０には、発光体９０が巻付けられて止められる。これにより、発光体９０造形における変化の多様性・複雑性を増すことができる。
【００１７】
（実施例３）
図１、図２、図７を参照する。本考案の実施例３において、ベース板１０周側には、複数の接続体１６と、複数の受容体１７とが設けられる。接続体１６と受容体１７は互いに対応しているため、接続体１６ともう一つのベース板１０における受容体１７とを対応させて接続することが可能である。接続体１６は、弾性のフック体をなすことにより、係止して組合わせることができる。
【００１８】
これにより、複数のベース板１０を組合せるとともに、発光体９０をベース板１０に通して巻付けることができるため、発光体９０の造形面積が増加し、より多様な発光体９０の造形が可能になる。
【００１９】
（実施例４）
図８、図９を参照する。本考案の実施例４において、ベース板１０の第一平面１１上には、複数の柱体２０が設けられる。この場合も同様に、発光体９０が巻付けられて止められるため、発光体９０造形における変化の多様性・複雑性が増すとともに、細部において更に精緻且つ美観に優れた造形が可能になる。
【００２０】
（実施例５）
図１０、図１１を参照する。本考案の実施例５において、差込柱３０の間には、連接片４０が設けられる。これにより、差込柱３０の間を経由する発光体９０が連接片４０によって固定されて、発光体９０の造形が固定される。
【００２１】
（実施例６）
図１２、図１３を参照する。本考案の実施例６において、ベース板１０における柱体２０の間には、連接片５０が設けられる。これにより、柱体２０の間を経由する発光体９０が連接片５０によって固定されて、発光体９０の造形が固定される。
【符号の説明】
【００２２】
１０   ベース板
１１   第一平面
１２   第二平面
１３   穿孔
１３１ 切込溝
１３２ 突点
１４１ 内突縁
１４２ 外突縁
１５   位置決め溝
１６   接続体
１７   受容体
２０   柱体
２１   ストッパー部
３０   差込柱
３１   突部
３２   ストッパー部
４０   連接片
５０   連接片
９０   発光体
【図１】
0003194054.tif 000003
【図２】
0003194054.tif 000004
【図３】
0003194054.tif 000005
【図４】
0003194054.tif 000006
【図５】
0003194054.tif 000007
【図６】
0003194054.tif 000008
【図７】
0003194054.tif 000009
【図８】
0003194054.tif 000010
【図９】
0003194054.tif 000011
【図１０】
0003194054.tif 000012
【図１１】
0003194054.tif 000013
【図１２】
0003194054.tif 000014
【図１３】
0003194054.tif 000015